(57)【要約】      （修正有）【課題】一つの旅程を構成する各種情報や各種申込を、旅程企画者が提示する１つの旅程毎に１枚のウェブページ内から全て行えるようにしたものであり、また、１つの旅程を構成する各種情報や各種申込を、旅程順にかつ図解的にＰＲ表示および閲覧利用できるようにした、情報処理システムを提供する。【解決手段】一つの旅程を構成する各種情報や各種申込が、「ウェブページ上の一枚の地図内に同時に掲載」かつ「当該地図内において矢印や番号等で旅程順に表記」された形式のホームページの形で、インターネット上にアップロードされることで、これにアクセスしたウェブユーザーに対し、上記の各種情報や各種申込が、「ウェブページ上の一枚の地図内に集約された形」で、かつ「一連の旅程順に沿って図指する形で表示された形」で、閲覧・利用に供される。【選択図】図１
2012234505.tif 000002
【特許請求の範囲】
【請求項１】
１つの旅行プランについて（その旅行プランが複数日に及ぶ場合は、日にち毎も可）、その旅程を構成している・観光スポット（以下Ａと表記）・飲食店や観光施設（以下Ｂと表記）・宿泊施設（以下Ｃと表記）・交通手段（以下Ｄと表記）、についての各種情報および各種予約が、それぞれ以下の形態（※）で、ウェブページ上の１枚の地図内に「同時に掲載」かつ「矢印や番号等で旅程順に表記」されて閲覧・利用に供される、情報処理システム。（※）・上記Ａは、ウェブページ上の現地地図内におけるＡの所在地の場所に、「Ａの写真」や「Ａの名称」や「Ａの各種ホームページへのリンクするＵＲＬ」が貼り付けられている。・上記Ｂは、ウェブページ上の現地地図内におけるＢの所在地の場所に、「Ｂの写真」や「Ｂの名称」や「Ｂの各種ホームページへリンクするＵＲＬ」が貼り付けられている。・上記Ｃは、ウェブページ上の現地地図内におけるＣの所在地の場所に、「Ｃの写真」や「Ｃの名称」や「Ｃの各種ホームページへリンクするＵＲＬ」や「Ｃの宿泊予約のページへリンクするＵＲＬ」が貼り付けられている。（宿泊予約のページについては、旅程企画者自身が予約代行を行うために作成した宿泊予約ページの場合と、その宿泊施設自体が作成した宿泊予約ページの場合と、宿泊施設紹介サイトなどの第三者が作成した宿泊予約ページの場合、いずれでも可。）・上記Ｄは、ウェブページ上の現地地図内におけるＤの所在地の場所に、「Ｄの写真」や「Ｄの名称」や「Ｄの各種ホームページへリンクするＵＲＬ」や「Ｄの乗車券予約のページへリンクするＵＲＬ」が貼り付けられている。（乗車券予約のページについては、旅程企画者自身が予約代行を行うために作成した乗車券予約ページの場合と、その交通機関自体が作成した乗車券予約ページの場合と、交通機関紹介サイトなど第三者が作成した乗車券予約ページの場合、いずれも可。）（注）上記ＡからＤの写真は、写真上でクリックすると写真が拡大する形態や、拡大後に写真上でスクロールすると数枚の写真に切り替わる形態のものも可である。
【請求項２】
請求項１に記載した情報処理システムにおいて、上記ＡからＤの内いずれか１つが含まれないもの。
【請求項３】
請求項１に記載した情報処理システムにおいて、上記ＡからＤの内いずれか２つが含まれないもの。
【発明の詳細な説明】
【技術分野】
【０００１】本発明は、一つの旅程を構成する各種情報や各種申込を、旅程企画者が提示する１つの旅程毎に１枚のウェブページ内から全て行えるようにしたものであり、また、１つの旅程を構成する各種情報や各種申込を、旅程順にかつ図解的にＰＲ表示および閲覧利用できるようにした、情報処理システムに関するものである。
【背景技術】
【０００２】従来、「観光スポットのウェブサイト」や「飲食店や観光施設のウェブサイト」や「宿泊紹介のウェブサイト」や「交通手段のウェブサイト」や「旅行会社のウェブサイト」では、それぞれが独自にホームページをアップロードし、自己の取扱分野の情報提供および申込受付をしていることは、よく知られている。また、それらのサイトのＵＲＬやアイコンを、個人や企業が自身のホームページに貼り付けて紹介した場合、閲覧客がそのＵＲＬやアイコンをクリックすると当該ホームページに自動的にアクセスされる。また、その際その紹介者に仲介手数料が支払われる「アフィリエイト」という広告仲介システムも、現在、普及している。
【発明の開示】
【発明が解決しようとする課題】
【０００３】「観光スポットのウェブサイト」や「飲食店や観光施設のウェブサイト」や「宿泊紹介のウェブサイト」や「交通機関のウェブサイト」や「旅行会社のウェブサイト」が、それぞれ独自のウェブサイトで自己の取扱分野の情報提供および申込受付をしている場合、以下の問題点があった。▲１▼＜旅行前に情報収集および各種予約をするウェブユーザーの立場＞Ａ「観光スポット」とＢ「飲食店や観光施設」とＣ「宿泊施設」とＤ「交通情報」が、別々のカテゴリーに区分けされて情報提供もしくは申込受付されていたり、別々の主体によって情報提供もしくは申込受付されているため、旅行者自身で情報収集および各種予約をする場合は、それら（上記Ａ〜Ｄ）をウェブ上で別々に逐一調べねばならず、その検索作業にかなりの手間と時間がかかっていた。また、旅行会社のパッケージツアーに申し込む場合は、日程表や料金表が書かれた数ページに及ぶパンフレットを読まねばツアーの全体像が把握できないため、ツアー内容の把握やプラン比較に手間と時間がかかり、現地の写真についても断片的にしか掲載されていないため、一連の旅程映像を事前に把握した上でプランを選ぶことはできなかった。▲２▼＜観光情報サイトや飲食店紹介サイトや宿泊紹介サイトや交通情報サイトの立場＞自己の取扱分野の情報を、単に数多く掲載もしくは種類分けする所謂「検索サイト」としてしか運営できない状況になってしまうため、必然的に取扱内容が他社と似通ったものにならざるを得ず、他者との差別化が図れなくなっている。▲３▼＜個々の宿泊施設や飲食店や観光施設の立場＞ウェブ上に膨大な数の他の施設や店舗のページがアップロードされているため、自身の名前による検索以外では検索される機会が少なく、自身のページの閲覧数を伸ばすことが難しくなっている。▲４▼旅行会社の立場。旅行客から申込を受ける際に、窓口やウェブページ上で、数ページに及ぶパンフレット等資料でツアー内容を説明せねばならず、それが人件費コストのかさむ要因になっていたり、また、それを読ませる手間が旅行客の購買意欲を下げる一因になってしまっている。
【課題を解決するための手段】
【０００４】上記に述べた課題を、以下の操作手順（▲１▼→▲２▼）に沿って行われる「パソコンとホームページとインターネットを協働させた情報処理システム」により、解決する。▲１▼パソコン上で作成された以下の形式のホームページが、インターネット回線を通じてウェブ上にアップロードされる。＜全体の形式＞ある１つの旅行プランについて、その旅程を構成している「観光スポット（以下Ａと表記）」「飲食店や観光施設（以下Ｂと表記）」「宿泊施設（以下Ｃと表記）」「交通機関（以下Ｄと表記）」についての情報が、「ウェブページ上の１枚の地図内に同時に掲載」かつ「当該地図内において矢印や番号等で旅程順に表記」されている形式。（以下、これを「旅程マップページ」と呼ぶ）。尚、旅行プランが複数日に及ぶ場合は、日にち毎に１枚の地図内に表記する形式も可である。＜細部の形式＞上記Ａの所在地には、「Ａの写真（小サイズ）」や「Ａの名称」や「Ａの各種ホームページ（※１）へリンクするＵＲＬ」が貼り付けられている。上記Ｂの所在地には、「Ｂの写真（小サイズ）」や「Ｂの名称」や「Ｂの各種ホームページ（※１）へリンクするＵＲＬ」が貼り付けられている。上記Ｃの所在地には、「Ｃの写真（小サイズ）」や「Ｃの名称」や「Ｃの各種ホームページ（※１）へリンクするＵＲＬ」や「Ｃの宿泊予約のページ（※２）へリンクするＵＲＬ」が貼り付けられている。上記Ｄの所在地には、「Ｄの写真（小サイズ）」や「Ｄの名称」や「Ｄの時間表」や「Ｄの各種ホームページ（※１）へリンクするＵＲＬ」や「Ｄの乗車券予約のページ（※３）へリンクするＵＲＬ」が貼り付けられている。※１については、公式ホームページが存在しない時には、当該対象の説明が記載されている他のホームページをもって代用しても構わない。※２については、この旅程マップページをアップロードした旅程企画者自身が予約代行を行うために作成した宿泊予約ページの場合と、その宿泊施設自体が作成した宿泊予約ページの場合と、宿泊施設紹介サイトなどの第三者が作成した宿泊予約ページの場合がある。※３については、この旅程マップページをアップロードした旅程企画者自身が予約代行を行うために作成した乗車券予約ページの場合と、その交通機関自体が作成した乗車券予約ページの場合と、交通情報紹介サイトなどの第三者が作成した乗車券予約ページの場合がある。（注）ＵＲＬをアイコンに置き換えることも差し支えない。（注）上記ＡからＤの写真には、写真上でクリックすると写真が拡大する形態や、拡大後に写真上でスクロールすると数枚の写真に切り替わる形態のものも含む。▲２▼インターネットに接続されたパソコンから上記▲１▼のウェブページへアクセスすることで、以下の機能が利用される。＜全体としての利用＞そのウェブページに表記されている旅行プラン（その旅行プランが複数日に及ぶ場合には、日にち毎も可）について、その旅程を構成している情報（上記Ａ〜Ｄ）を、「ウェブページ上の１枚の地図上に集約された形」で、かつ、「一連の旅程順に沿って図指する形で表示された形」で閲覧・利用が出来る。＜細部についての利用＞上記Ａについては、写真（小サイズ）をクリックすると写真を拡大して見ることができ、各種ホームページへのリンク用ＵＲＬをクリックするとその観光スポットの各種ホームページを閲覧することが出来る。上記Ｂについては、写真（小サイズ）をクリックすると写真を拡大して見ることができ、各種ホームページへのリンク用ＵＲＬをクリックするとその飲食店や観光施設の公式ホームページを閲覧することが出来る。上記Ｃについては、写真（小サイズ）をクリックすると写真を拡大して見ることができ、各種ホームページへのリンク用ＵＲＬをクリックすると各種ホームページを閲覧することができ、宿泊予約のページへのリンクのＵＲＬをクリックすると宿泊予約のページにアクセスして宿泊予約することができる。上記Ｄについては、写真（小サイズ）をクリックすると写真を拡大して見ることができ、各種ホームページへのリンク用ＵＲＬをクリックすると各種ホームページを閲覧することができ、乗車券予約のページへのリンクのＵＲＬをクリックすると乗車券予約のページにアクセスして乗車券予約をすることが出来る。
【発明の効果】
【０００５】本発明（上述した▲１▼→▲２▼の操作手順に沿って行われる情報処理システム）を利用することで、このシステムに関わる各主体に、以下の効果が発生する。＜旅行前に情報収集および各種予約をするウェブユーザーの場合＞（１）１つの旅行プランごと（旅行プランが複数日に及ぶ場合は、日にち毎も可）に、その旅程を構成する要素である「上記Ａ〜Ｄ」の情報や予約へのアクセスが、「ウェブページ上の１枚の地図内」に集約された形で表示されているため、自身で情報収集や各種予約をする際に、「１枚のウェブページの上」から全ての閲覧や各種申込が出来るようになり、従来のような「上記Ａ〜Ｄを別々のウェブサイトで逐一検索したり予約したりする手間」がなくなり、時間と手間が大幅に削減できる。（２）また、「上記Ａ〜Ｄ」の情報が、「矢印や番号等で旅程順に表記」されているため、旅行当日に現地で、ｉパッドやスマートフォンなどの携帯パソコン端末から当該サイトにアクセスすれば、旅程を全て把握することができ、従来のような「旅行ガイドブックを項目別に何度も索引する手間」が省ける。（３）旅程を構成している情報（上記Ａ〜Ｄ）が、「ウェブページ上の１枚の地図内に集約された形」でかつ「一連の旅程順に沿って図指表示された形」で閲覧・利用できるため、このフォームを標準規格にすれば、旅行プラン同士の比較検討が容易になる。＜旅程企画者の場合＞１つの旅行プランごと（旅行プランが複数日に及ぶ場合は、日にち毎も可）に、その旅程を構成する「上記Ａ〜Ｄ」の情報が、「ウェブページ上の１枚の地図内」に集約された形で掲載され、Ａ〜Ｄそれぞれについてその所在地に、「写真（小サイズ）」や「名称」や「各種ホームページＵＲＬ」や「予約ページのＵＲＬ」が貼り付けられており、さらにＡ〜Ｄ相互が「矢印等で旅程順に表記」されているため、以下の経済的効果が発生する。（１）このページを閲覧しにきたウェブユーザーがこのページ上に掲載されている「上記Ａ〜Ｄの公式ホームページＵＲＬ」をクリックして詳細確認をするたびに、そのクリック数に応じた手数料収入が、「上記Ａ〜Ｄの主体」から「旅程企画者」へ支払われる様な、広告仲介契約を結べば、旅程企画者はこのページのアップロード中は継続的に収入を得ることができる。（２）このページを閲覧しにきたウェブユーザーがこのページ上に掲載されている「上記Ｃ〜Ｄの予約ページのＵＲＬ」をクリックして「宿泊予約や乗車券予約」をするたびに、その予約料金に応じた手数料収入が、「上記Ｃ〜Ｄの主体」から「旅程企画者」へ支払われる様な、予約仲介契約を結べば、旅程企画者はこのページのアップロード中は継続的に収入を得ることができる。（３）このページの旅程を見て旅行を決意したウェブユーザーは、このページ上でのクリック１つで「上記Ｃ〜Ｄの予約ページ」にアクセスできるため、当該ページ内での予約成約率が高くなり、また、他の予約サイトへ客が流れるのを防ぐことができる。（４）旅行会社が、自身の持っている旅行プランをこのページの形式でアップロードし、上述した一連のシステムに則り手数料収入を得る運営形態を採れば、もはや店舗の窓口で旅行ツアーを販売および受付する必要が減るため、それにより、従来かかっていた店舗の維持経費や人員コストを削減することが出来る。また、旅程内容を「ウェブページ上の１枚の地図内」に集約した形で掲載しつつも、詳細については、ページ内に貼りつけてある「写真」や「各種ＵＲＬ」をクリックすればそのページが開けて閲覧・利用できるので、▲１▼ツアー全体の内容を１画面でＰＲできると同時に、▲２▼詳しい情報索引についても紐付き形式（リンク用のＵＲＬ）で提供できるため、従来の数ページに及ぶパンフレット等紙面の資料に比べて、客への訴求力・説明力が格段に上がる。＜個々の宿泊施設や飲食店や観光施設の場合＞「上記の旅程マップページ上」において、「その旅程の構成要素の１つとして表示」される形で自分のホームページへリンクが貼られているので、▲１▼従来の「単独（ホテル名等）によるアクセス」以外に、▲２▼当該「旅程マップページ」経由からのアクセスも獲得できるようになるため、客数の増加を見込むことが出来る。＜観光情報サイトや飲食店紹介サイトや宿泊施設紹介サイトや交通情報サイトの場合＞その旅程を構成している自分以外の分野（観光スポット・飲食店・宿泊施設・交通情報）と一緒に、一枚の地図内に掲載されるので、▲１▼従来の「自身の分野の（例。宿泊紹介サイト）の閲覧客」以外に、▲２▼「他の分野のサイトの閲覧客」にも、こちらのサイトを見てもらえるようになり、予約仲介数の増加を見込むことができる。
【発明を実施するための形態】
【０００６】パソコン上で作成された以下の形式のホームページが、インターネット回線を通じてウェブ上にアップロードされる。＜全体の形式＞ある１つの旅行プラン（その旅行プランが複数日に及ぶ場合は、日にち毎も可）について、その旅程を構成している「観光スポット（以下Ａと表記）」「飲食店や観光施設（以下Ｂと表記）」「宿泊施設（以下Ｃと表記）」「交通機関（以下Ｄと表記）」についての情報が、「ウェブページ上の１枚の地図内に同時に掲載」かつ「当該地図内において矢印や番号等で旅程順に表記」されている形式。（以下、これを「旅程マップページ」と呼ぶ）。＜細部の形式＞上記Ａの所在地には、「Ａの写真（小サイズ）」や「Ａの名称」や「Ａの各種ホームページ（※１）へリンクするＵＲＬ」が貼り付けられている。上記Ｂの所在地には、「Ｂの写真（小サイズ）」や「Ｂの名称」や「Ｂの各種ホームページ（※１）へリンクするＵＲＬ」が貼り付けられている。上記Ｃの所在地には、「Ｃの写真（小サイズ）」や「Ｃの名称」や「Ｃの各種ホームページ（※１）へリンクするＵＲＬ」や「Ｃの宿泊予約のページ（※２）へリンクするＵＲＬ」が貼り付けられている。上記Ｄの所在地には、「Ｄの写真（小サイズ）」や「Ｄの名称」や「Ｄの時間表」や「Ｄの各種ホームページ（※１）へリンクするＵＲＬ」や「Ｄの乗車券予約のページ（※３）へリンクするＵＲＬ」が貼り付けられている。※１については、公式ホームページが存在しない時には、当該対象の説明が記載されている他のホームページをもって代用してかまわない。※２については、この旅程マップページをアップロードした旅程企画者自身が予約代行を行うために作成した宿泊予約ページの場合と、その宿泊施設自体が作成した宿泊予約ページの場合と、宿泊施設紹介サイトなどの第三者が作成した宿泊予約ページの場合がある。※３については、この旅程マップページをアップロードした旅程企画者自身が予約代行を行うために作成した乗車券予約ページの場合と、その交通機関自体が作成した乗車券予約ページの場合と、交通情報紹介サイトなどの第三者が作成した乗車券予約ページの場合がある。（注）ＵＲＬをアイコンに置き換えることも差し支えない。（注）上記ＡからＤの写真には、写真上でクリックすると写真が拡大する形態や、拡大後に写真上でスクロールすると数枚の写真に切り替わる形態のものも、可である。
【図面の簡単な説明】
【０００７】全ての図面に言えることだが、［図面］の中に記載した数字や記号と、［特許請求の範囲］および［明細書］の中で記載した数字や記号は、全く別のものであるので、［図面］の中に記載した数字や記号については、この［図面の簡単な説明］において説明する。【図１】図面１は、上記の［課題を解決するための手段］及び［発明を実施する形態］に記載した、＜全体の形式＞を例示したものである。図面２から図面６は、［課題を解決するための手段］及び［発明を実施する形態］に記載した、＜細部の形式＞を例示したものである。上記図面は、本来はすべて、インターネット回線を通じてウェブ上にアップロード等を行ったホームページとして完成するため、この特許申請書類においてもアップロード版の図面を添付したいところではあるが、特許申請前にアップロードを行ってしまうと「新規性」の要件が満たせなくなる為、本特許申請においては、アップロードせずに図指できる範囲で描写した図面を添付した。図面１についてであるが、赤い数字の▲１▼〜▲４▼は、この順に観光地を回ることを示しており、赤い矢印は、この道順に観光地を回ることを示している。（具体的には、まず▲１▼の「湖北ビューライン」という観光スポットに行ってから、矢印に沿って県道２１号線を進み、次に矢印に沿って県道７１０号線を進んでから、▲２▼の飲食店「ルッコラ」もしくは「ロマラン」に寄り、次に矢印に沿って県道１３７号線へと入ってから、▲３▼の飲食店「チーズケーキガーデン」に寄り、次に矢印に沿って県道１３７号線を進んでから、▲４▼の観光施設「ＵＫＡＩオルゴールの森美術館」へ行き、その後、（Ａ）の宿泊施設「湖山亭うぶや」もしくは（Ｂ）の宿泊施設「風のテラス  ＫＵＫＵＮＡ」に宿泊する、ということを示している。このように、ある旅行プランにおける一日目の旅程が、ウェブ上の一枚の地図内に全て、かつ旅程順に掲載された形式のものである。
【図２−１】図面２−１については、地図上の▲１▼の観光スポット「湖北ビューライン」の表記の下に貼り付けてある公式ホームページＵＲＬにカーソルを合わせてマウスをクリックする事を図指したものであり、クリックすると、
【図２−２】図面２−２のように、▲１▼の観光スポットの公式ホームページにアクセスできる事を示したものである。
【図２−３】図面２−３においては、地図上の▲１▼の観光スポット「湖北ビューライン」の表記の下に貼り付けてある写真（小サイズ）にカーソルを合わせてマウスをクリックする事を図指したものであり、クリックすると、
【図２−４】図２−４のように、▲１▼の観光スポットの拡大写真が開く事を示したものである。次に、
【図３−１】図３−１については、地図上の▲３▼の飲食店「チーズケーキガーデン」の表記の下に貼り付けてある紹介ホームページＵＲＬにカーソルを合わせてマウスをクリックする事を図指したものであり、クリックすると、
【図３−２】図３−２のように、▲３▼の飲食店の紹介ホームページにアクセスできる事を示したものである。
【図３−３】図３−３においては、地図上の飲食店「チーズケーキガーデン」の表記の下に貼り付けてある写真（小サイズ）にカーソルを合わせてマウスをクリックする事を図指したものであり、クリックすると、
【図３−４】図３−４のように、▲３▼の飲食店の拡大写真が開く事を示したものである。更に、
【図４−１】図４−１については、地図上の（Ａ）の宿泊施設「湖山亭うぶや」の表記の下に貼り付けてある公式ホームページＵＲＬにカーソルを合わせてマウスをクリックする事を図指したものであり、クリックすると、
【図４−２】図４−２のように、（Ａ）の宿泊施設の公式ホームページにアクセスできる事を示したものである。
【図４−３】図４−３においては、地図上の（Ａ）の宿泊施設「湖山亭うぶや」の表記の下に貼り付けてある宿泊仲介サイトＵＲＬにカーソルを合わせてマウスをクリックする事を図指したものであり、クリックすると、
【図４−４】図４−４のように、（Ａ）の宿泊施設の宿泊仲介サイトのホームページにアクセスできる事を示したものである。
【図５−１】図−１においては、地図内の右下にある「河口湖までの交通手段」の「バスで行く」の欄にカーソルを合わせてマウスをクリックする事を図指しており、それをクリックすると、
【図５−２】図５−２のように、バスの予約仲介サイトのホームページにアクセスできる事を示したものである。
【図５−３】図５−３においては、地図内の右下にある「レトロバス時刻表」という現地バスの時刻表の表記の下に貼り付けてある公式ホームページＵＲＬにカーソルを合わせてマウスをクリックする事を図指しており、クリックすると、
【図５−４】図５−４のように、現地バスの公式ホームページにアクセスできる事を示したものである。
【図１】
2012234505.tif 000003
【図２−１】
2012234505.tif 000004
【図２−２】
2012234505.tif 000005
【図２−３】
2012234505.tif 000006
【図２−４】
2012234505.tif 000007
【図３−１】
2012234505.tif 000008
【図３−２】
2012234505.tif 000009
【図３−３】
2012234505.tif 000010
【図３−４】
2012234505.tif 000011
【図４−１】
2012234505.tif 000012
【図４−２】
2012234505.tif 000013
【図４−３】
2012234505.tif 000014
【図４−４】
2012234505.tif 000015
【図５−１】
2012234505.tif 000016
【図５−２】
2012234505.tif 000017
【図５−３】
2012234505.tif 000018
【図５−４】
2012234505.tif 000019